(57)【要約】【課題】安定した自立状態を実現し、且つ小物類収納時のコンパクトさをも実現させた小物類の収納ケースを提供する。【解決手段】本発明に係る小物類の収納ケースは、対向する内面間に小物類を収納するための収納空間を形成する対をなす平面状の側面壁体と、これら側面壁体が小物類を挟持するように接近する収縮姿勢及び前記小物類を遊動させ得るように上下全域に亘って拡開する拡張姿勢を選択的に採り得るようこれら側面壁体の前縁部及び後縁部をそれぞれ連結する前後の連結部とを具備してなり、拡張姿勢をなす側面壁体を、その前縁部及び後縁部が起立する態様で自立させることが可能な小物類の収納ケースである。【選択図】図４
2018064988.tif 000002
【特許請求の範囲】
【請求項１】
対向する内面間に小物類を収納するための収納空間を形成する対をなす平面状の側面壁体と、これら側面壁体が前記小物類を挟持するように接近する収縮姿勢及び前記小物類を遊動させ得るように上下全域に亘って拡開する拡張姿勢を選択的に採り得るようこれら側面壁体の前縁部及び後縁部をそれぞれ連結する前後の連結部とを具備してなり、前記拡張姿勢をなす前記側面壁体を、その前縁部及び後縁部が起立する態様で自立させることが可能な小物類の収納ケース。
【請求項２】
前記一方の連結部が、前記側面壁体の前縁部同士を接離可能に連結し前記収縮姿勢において内側に折り込むことが出来る変形可能な壁状のものであるとともに、他方の連結部が、前記側面壁体の後縁部同士を回動可能に連結するヒンジ状のものである請求項１記載の小物類の収納ケース。
【請求項３】
前記自立状態において前記側面壁体と前記一方の連結部とが、平面視において略三角形をなすように配される請求項２記載の小物類の収納ケース。
【請求項４】
前記側面壁体及び前記一方の連結部が、略同一の横幅寸法を有したものであり、前記自立状態において前記側面壁体と前記一方の連結部とが、平面視において略正三角形をなすように配される請求項３記載の小物類の収納ケース。
【請求項５】
前記側面壁体が、平面状で前記自立を可能にするだけの剛性を有した下側領域と、この下側領域に仮想境界線を介して連続する上側領域とを備えたものであり、前記仮想境界線部分を折り曲げて前記上側領域を前記下側領域の外面側に折り返すことができるように構成されている請求項１、２、３又は４記載の小物類の収納ケース。
【請求項６】
前記下側領域の内面側に内ポケットを添設している請求項５記載の小物類の収納ケース。
【請求項７】
前記他方の連結部が、前記側面壁体の下側領域に対応する下連結領域と、前記側面壁体の上側領域の全部又は一部に対応する上連結領域とを備えたものであり、前記上連結領域は、前記側面壁体の上側領域とともに前記下連結領域の外面側に折り返すことができるように構成されている請求項５又は６記載の小物類の収納ケース。
【請求項８】
前記対をなす側面壁体の少なくとも前記前縁部間及び上縁部間に、ファスナが設けられている請求項１、２、３、４、５、６又は７記載の小物類の収納ケース。
【請求項９】
前記対をなす側面壁体の下縁部間に、可撓性を有する底面壁体が設けられている請求項１、２、３、４、５、６、７又は８記載の小物類の収納ケース。
【発明の詳細な説明】
【技術分野】
【０００１】
本発明は、携帯可能であり且つ机上或いはテーブル面等に自立した姿勢で使用することが可能な小物類の収納ケースに関するものである。
【背景技術】
【０００２】
従来、ペン等やスティック状の文具製品を好適に収納することができる袋状をなす所謂ペンケースと称されるものが提案されている(例えば、特許文献１及び特許文献２参照)。これら特許文献記載のものは単に小物類の一態様であるペン、スティック状の文具製品を収容できるのみならず、メイクブラシといったスティック状の化粧用具等の棒状の小物類をも好適に収納することができる。また勿論棒状の小物類であれば、フォークやスプーン等のカトラリーも好適に収納し得る。それ故、これら特許文献に記載のものは、小物類の収納ケースの一態様としての、棒状小物類の収納ケースと称することもできる。
【０００３】
さらに当該特許文献に記載したものは、単に小物類を収納するのみならず、小物類の少なくとも一端を外方へ開放させつつ、当該一端を上側とし且つ当該小物類を覆っている壁体を自立させた自立状態をすることができる。当該自立状態とすることにより、小物類の容易な視認並びに出し入れを可能としている。
【０００４】
そして上記特許文献のものはさらに、安定した自立状態を実現するために、当該自立状態で机上等に接地する下側が小物類の収納時に概略筒状をなす硬質の壁体が構成されている。斯かる構成により、安定した自立状態を実現することができるとともに、小物類を収納しているときには収納する小物類の量や形状が違っても全体の外形があまり変化しないという、所謂保形性が高いものとなっている。
【先行技術文献】
【特許文献】
【０００５】
【特許文献１】特許第３４７３５０７号公報
【特許文献２】特許第４６１７５９７号公報
【発明の概要】
【発明が解決しようとする課題】
【０００６】
しかしながら、上述の通り保形性が高いということは、収納する小物類が少ないときであっても同じ外形を有することとなり、不要に嵩張っているという見方もすることができる。また小物類を許容容量よりも少ない量収容した状態でも収納空間に不要な隙間が形成されてしまい、小物類が運搬時に内部で不要に動かされてしまうことも考え得る。
【０００７】
そして現在、小物類の出し入れの行い易さと安定した自立状態を実現した上で、しかもコンパクトな状態で小物類を収納でき、且つ小物類の量に拘わらず当該小物類を有効に保護し得るものが求められている。
【０００８】
本発明は、このような不具合に着目したものであり、小物類の出し入れも容易で且つ安定した自立状態を実現し、且つ小物類収納時のコンパクトさをも実現させた小物類の収納ケースを提供することを目的としている。
【課題を解決するための手段】
【０００９】
本発明は、このような目的を達成するために、次のような手段を講じたものである。
【００１０】
すなわち本発明に係る小物類の収納ケースは、対向する内面間に小物類を収納するための収納空間を形成する対をなす平面状の側面壁体と、これら側面壁体が前記小物類を挟持するように接近する収縮姿勢及び前記小物類を遊動させ得るように上下全域に亘って拡開する拡張姿勢を選択的に採り得るようこれら側面壁体の前縁部及び後縁部をそれぞれ連結する前後の連結部とを具備してなり、前記拡張姿勢をなす前記側面壁体を、その前縁部及び後縁部が起立する態様で自立させることが可能なものであることを特徴とする。
【００１１】
ここで、「側面壁体」には、途中で折り曲げることができないものも含まれ、さらには、「平面状の側面壁体」には、完全な平面状のみならず若干湾曲したものも含まれるが、小物類を挟持するように接近する収縮姿勢を採れないものは含まれない概念である。加えて、「平面状の側面壁体」は、平らな樹脂板を全域又は一部の領域に用い、当該樹脂板を布などの外装材で被覆したものに限らず、例えば、ワイヤフレームの外側を外装材で覆ったものを上記樹脂板同様に作用させるようにした態様等を適用してもよい。
【００１２】
このようなものであれば、対をなす平面状の側面壁体が収縮姿勢において小物類を隙間無く挟持することができるので、コンパクトな収縮姿勢を実現することができる。また、上記特許文献のものと同様、拡張姿勢を取るときには対をなす平面状の側面壁体が前後の連結部を介して上下全域に亘って拡開することにより、安定した自立状態を実現できる。すなわち本発明によれば、小物類の出し入れも容易で且つ安定した自立状態を実現し、且つ小物類収納時のコンパクトさをも実現させた小物類の収納ケースを提供することができる。
【００１３】
そして、より安定した自立状態を実現できる一態様として、一方の連結部が、側面壁体の前縁部同士を接離可能に連結し収縮姿勢において内側に折り込むことが出来る変形可能な壁状のものであるとともに、他方の連結部が、側面壁体の後縁部同士を回動可能に連結するヒンジ状のものである態様を挙げることができる。
【００１４】
ここで、「変形可能な壁状」のものには、二つ折り可能な壁のみならず、蛇腹状の壁なども含まれる。また、「ヒンジ状」のものには、可撓性のある外装材によりヒンジを構成したものだけでなく、側面壁体の芯材同士を樹脂ヒンジ（二本線が望ましい）により一体的に連結したものなども含まれる。
【００１５】
また、安定した自立状態の実現並びに自立状態における小物類の視認性の高さを両立させるためには、前記自立状態において前記側面壁体と前記一方の連結部とが、平面視において略三角形をなすように配されるようにすることが望ましい。また、さらに安定した自立状態の実現のために更に望ましくは、側面壁体及び一方の連結部を、略同一の横幅寸法を有したものとし、自立状態において側面壁体と一方の連結部とを、平面視において略正三角形をなすように配されるようにしたものを挙げることができる。
【００１６】
また、小物類の視認性をより高めた自立状態を行わせるためには、側面壁体を、平面状で自立を可能にするだけの剛性を有した下側領域と、この下側領域に仮想境界線を介して連続する上側領域とを備えたものとし、仮想境界線部分を折り曲げて上側領域を下側領域の外面側に折り返すことができるように構成することが好ましい。
【００１７】
ここで上述した通り、「平面状」には、完全な平面に沿ったものだけでなく、穏やかに湾曲しているようなものも含まれる。すなわち、「側面壁体の下側領域」は、平らな樹脂板を布などの外装材で被覆したものに限らず、例えば、ワイヤフレームの外側を外装材で覆ったもの等でもよい。
【００１８】
そして、下側領域の内面側に内ポケットを添設しているものであれば、剛性を有した下
側領域に沿って配されることで自ずと平面的なものになる。そのため、カード類の出し入れが容易になるとともに変形も防止でき、当該カード類を有効に保護し得るポケットが実現できる。
【００１９】
また、より安定した拡張状態を維持した自立状態を行わせるための構成として、他方の連結部が、側面壁体の下側領域に対応する下連結領域と、側面壁体の上側領域の全部又は一部に対応する上連結領域とを備えたものであり、上連結領域は、側面壁体の上側領域とともに下連結領域の外面側に折り返すことができるように構成されているという構成を挙げることができる。
【００２０】
拡張姿勢における小物類の出し入れのし易さと収縮姿勢における小物類の安定した収納とを両立させるためには、対をなす側面壁体の少なくとも前縁部間及び上縁部間に、ファスナを設けるようにすることが望ましい。
【００２１】
収縮姿勢におけるコンパクトさと自立状態における小物類の安定した支持とを両立するための構成として、対をなす側面壁体の下縁部間に、可撓性を有する底面壁体を設けることが望ましい。
【発明の効果】
【００２２】
本発明によれば、小物類の出し入れも容易で且つ安定した自立状態を実現し、且つ小物類収納時のコンパクトさをも実現させた小物類の収納ケースを提供することができる。
【図面の簡単な説明】
【００２３】
【図１】本発明の一実施形態に係る拡張姿勢を示す外観図。
【図２】同実施形態に係る収縮姿勢を示す正面図。
【図３】同底面図。
【図４】同右側面図。
【図５】同左側面図。
【図６】同実施形態に係る拡張姿勢を、一部を破断して示す左側面図。
【図７】同実施形態に係る拡張姿勢を示す底面図。
【図８】同実施形態に係る他の拡張姿勢を示す外観図。
【発明を実施するための形態】
【００２４】
以下、本発明の一実施の形態について図面を参照して説明する。
【００２５】
本実施形態に係る小物類の収納ケースの一態様である筆記具ケースＡは、例えばペンＰや図示しない鉛筆といった筆記具を主に収納しつつ、図示しない消しゴム等の筆記具と共に使用する他の小物類をも好適に収納し得るものである。すなわち本実施形態に係る小物類の収納ケースである筆記具ケースＡは、「小物類」の一態様としてのペンＰを収納するものとして説明するが勿論、小物類の一態様であるペン、スティック状の文具製品を収容できるのみならず、メイクブラシといったスティック状の化粧用具等の棒状の小物類をも好適に収納することができる。また勿論棒状の小物類であれば、フォークやスプーン等のカトラリーも好適に収納し得る。つまり当該筆記具ケースＡは、「小物類の収納ケース」の一態様としての、棒状「小物類の収納ケース」と称することもできる。
【００２６】
この筆記具ケースＡは、主に合成繊維素材を主体とし適宜縫合されているものであり、図１〜図８に示すように、正面及び背面を構成する側面壁体１と、この側面壁体１同士を前後で連結する前連結部２及び後連結部３と、側面壁体１の下縁部１ｄ同士を連結する底面壁体４と、側面壁体１の少なくとも前縁部１ａ並びに上縁部１ｅ全域に亘って配されるファスナ５とを有している。
【００２７】
ファスナ５は、側面壁体１の前縁部１ａ並びに上縁部１ｅ全域及び後縁部の上縁部１ｅ近傍に亘って配されている。このファスナ５は、側面壁体１に基端側が直接縫合されているテープ５３と、このテープ５３の先端側に設けられ互いに接離し得る務歯５０と、スライド動作によりこれら務歯５０の接離を操作するための第一スライダ５１並びに第二スライダ５２とを有するものである。本実施形態ではテープ５３及び務歯５０の両端を側面壁体１側に折り込むように縫合することにより第一スライダ５１並びに第二スライダ５２の動作端としているが勿論、当該第一スライダ５１並びに第二スライダ５２の動作を規制するためのストッパ等の別異の部材を務歯５０の両端に固定しても良い。なお当該ファスナ５の構成は本実施形態の他、既存の適宜のものを使用し得るために詳細な説明を省略する。
【００２８】
ここで、本実施形態に係る筆記具ケースＡは、対向する内面間にペンＰ等の小物類を収納するための収納空間Ｓを形成する対をなす平面状の側面壁体１と、これら側面壁体１がペンＰ等を挟持するように接近する収縮姿勢（Ｃ）及びペンＰ等を遊動させ得るように上下全域に亘って拡開する拡張姿勢（Ｅ）を選択的に採り得るようこれら側面壁体１の前縁部１ａ及び後縁部１ｂをそれぞれ連結する前連結部２、後連結部３とを具備してなり、拡張姿勢（Ｅ）をなす側面壁体１を、その前縁部１ａ及び後縁部１ｂが起立する態様で自立させることが可能なものであることを特徴とするものである。なお図６においては、一部を破断することにより当該破断した箇所の向こう側の構成を図示している。
【００２９】
以下、斯かる筆記具ケースＡの構成について、具体的に説明する。
【００３０】
側面壁体１は、外方に表出する外装材１３とペンＰ等の収容物に直接接し得る内装材１４とを縫合したものを主体としている。この側面壁体１は、上縁部１ｅ及び前縁部１ａはファスナ５を介して接離可能に構成されている。そしてこの対をなす平面状の側面壁体１は、下縁部１ｄ、前縁部１ａの下側の一部はそれぞれ折り畳み可能な前連結部２及び底面壁体４を介して接離可能に接続されている。また同様に対をなす側面壁体１は後縁部１ｂ間を、後連結部３を介して接続している。これにより側面壁体１の前縁部１ａを接離動作させる際には後連結部３の可撓性を利用し当該後連結部３を所謂ヒンジとして作用させている。また側面壁体１は、平面状で自立を可能にするだけの剛性を有した下側領域１１と、この下側領域１１に仮想境界線を介して連続する上側領域１２と、下側領域１１の剛性を確保すべく外装材１３、内装材１４間に配された芯材１５と、下側領域１１の内面たる挟持面１ｃ側に配された内ポケット１６とを有している。
【００３１】
本実施形態では芯材１５の図示を図２〜図５において外形を想像線で示すとともにパタンを付して示している。すなわち本実施形態では、側面壁体１におけるこの芯材１５を配した部分が、剛性を有する下側領域１１に相当する。加えて本実施形態では、内ポケット１６は芯材１５を設けた箇所に沿って配されることで平面的なものになる。このため、カード類の出し入れが容易になるとともに変形も防止でき、当該カード類を有効に保護し得る。また本実施形態では、内方に表出する内装材１４と当該内ポケット１６により、収納物に直接接する側面壁体１の内面たる挟持面１ｃを構成している。
【００３２】
また本実施形態では上側領域１２には芯材１５が配されていないために上側領域１２を下側領域１１の外面１１ａ側に折り返すことができるように構成されている。具体的には、芯材１５の位置が上下方向にずれないように外装材１３、内装材１４を縫い合わせた折り返し縁１７としている。この上側領域１２は可撓性を有するため、どの部位からでも折り返すことができる。本実施形態では、この側面壁体１を上下に二分する位置にある折り返し縁１７が、折り返し可能な位置の内の下端位置である仮想境界部分に相当する。なお芯材１５の形状を適宜変更することによりこの折り返し縁１７すなわち仮想境界部分の位
置は側面壁体１の下縁と平行な図示の態様のみならず、傾斜させて設けることも可能である。
【００３３】
前連結部２は、側面壁体１の前縁部１ａ同士を接離可能に連結し収縮姿勢（Ｃ）において内側に折り込むことが出来る変形可能な壁状のものである。この前連結部２は、側面壁体１の前縁部１ａ、後縁部１ｂ間の寸法と略同一の寸法を有することにより、拡張姿勢（Ｅ）では対をなす側面壁体１及び当該前連結部２により、概略正三角形を形成し得る。しかしながら拡張姿勢（Ｅ）の平面視形状は概略正三角形に限られることはなく、二等辺三角形状であっても良いことは言うまでもない。
【００３４】
この前連結部２は、底面壁体４と一体に構成された前布２１と、この前布２１の一部に別異の布を縫合することにより設けられた前ポケット２２とを有している。前布２１は、上端を補強すべく別異の布材を縫合した倒れ止め縁２３と、収縮姿勢（Ｃ）にて収納空間Ｓへ織り込まれることを助長するための中央に縦方向に設けられた中折り線２４とを有している。
【００３５】
そして本実施形態では、倒れ止め縁２３を設けた位置すなわち高さ寸法を、側面壁体１を自立させた自立状態（Ｔ）においてペンＰの上端側が露出するのを許容しつつ当該ペンＰが外部にこぼれるのを防止し得る寸法に設定してある。具体的には当該高さ寸法である倒れ止め縁２３の位置は、上述した芯材１５の上縁と略同じかやや低い位置である側面壁体１の半分程度の位置としているが勿論、当該高さ位置は適宜変更可能である。
【００３６】
後連結部３は、本実施形態では側面壁体１の後縁部１ｂ同士を回動可能に連結するヒンジ状のものとしている。この後連結部３は、側面壁体１を構成している布材である外装材１３に一体に構成された外面材３３と、内装材１４に一体に構成された内面材３４とを主体としている。そしてこの後連結部３は、側面壁体１の下側領域１１に対応する下連結領域３１と、側面壁体１の上側領域１２の全部又は一部に対応する上連結領域３２とを備えたものであり、上連結領域３２は、側面壁体１の上側領域１２とともに下連結領域３１の外面側に折り返すことができるように構成されている。
【００３７】
底面壁体４は、対をなす側面壁体１の下縁部１ｄ間に設けられた可撓性を有するものである。この底面壁体４は前連結部２と一体に形成された概略正三角形状をなす三角布４１を主体とする。そしてこの三角布４１には、収縮姿勢（Ｃ）において収納空間Ｓ側へ折り畳まれることを助長するための折り畳み線４２が設けられている。
【００３８】
しかして本実施形態では、図１及び図６に示す拡張姿勢（Ｅ）では側面壁体１の前縁部１ａ並びに後縁部１ｂを自立させ得る自立状態（Ｔ）を安定してとり得るとともに、図２〜図５に示す収縮姿勢（Ｃ）では、ペンＰ等の収納物の量に応じてコンパクトさを維持しつつ収納することができる。
【００３９】
図１及び図６に示す拡張姿勢（Ｅ）では、前連結部２の倒れ止め縁２３の所でペンＰが適宜凭れ掛かることにより、収納していたペンＰが使用者にとって見易くなるとともに、前連結部２の上部からペンＰがこぼれるように倒れてしまうことを有効に回避している。
【００４０】
図２〜図５に示す収縮姿勢（Ｃ）では、収納空間Ｓに収納されているペンＰの量に応じて収納空間Ｓの容量が適宜変更可能になっている。すなわち側面壁体１に設けられた同図では平面状をなす芯材１５は、図示の通り収納しているペンＰの量が少ないときは変形せず、挟持面１ｃがペンＰに密着する姿勢を保持するとともに、ペンＰ等の収納物の量が多くなるにつれて芯材１５が外方へ向けて適宜撓み変形することで、挟持面１ｃがペンＰに密着する姿勢を維持しつつ収納空間ＳがペンＰ等の収納物の量に応じて大きくなる。
【００４１】
そして本実施形態では、上述した図１及び図６に示すような状態から更にペンＰの視認性を向上させることが可能である。すなわち本実施形態では図８に示すように、折り返し縁１７の位置で上側領域１２を下側領域１１の外面１１ａまで折り返すことにより、ペンＰの視認性をさらに向上させた自立状態（Ｔ）を実現している。しかも同図に示す自立状態（Ｔ）では、上側領域１２とともに折り返された後連結部３の上連結部分が左右の側面壁体１と互いに引っ張り合う。これにより側面壁体１の前縁部１ａ同士がさらに離間するような力が作用する。その結果、前連結部２は側面壁体１により両側から引っ張られ緊張する。このとき、外方からのペンＰの視認性がさらに向上するとともに、倒れ止め縁２３に図示以上に多くのペンＰが凭れ掛かっても前連結部２が緊張した状態が維持されて視認性や自立状態（Ｔ）の安定性が損なわれることは無い。
【００４２】
以上のような構成とすることにより、本実施形態に係る小物類の収納ケースたる筆記具ケースＡは、対をなす側面壁体１が収縮姿勢（Ｃ）においてペンＰを隙間無く挟持することができるので、コンパクトな収縮姿勢（Ｃ）を実現している。また拡張姿勢（Ｅ）を取るときには対をなす側面壁体１が前連結部２、後連結部３を介して上下全域に亘って拡開することにより、安定した自立状態（Ｔ）を実現している。すなわち実施形態によれば、ペンＰの出し入れも容易で且つ安定した自立状態（Ｔ）を実現し、且つペンＰ収納時はペンＰの量に応じて最もコンパクトな外形となる。
【００４３】
そして、より安定した自立状態（Ｔ）を実現できる一態様として本実施形態では、一方の連結部たる前連結部２が、側面壁体１の前縁部１ａ同士を接離可能に連結し収縮姿勢（Ｃ）において内側に折り込むことが出来る変形可能な壁状のものであるとともに、他方の連結部たる後連結部３が、側面壁体１の後縁部１ｂ同士を回動可能に連結するヒンジ状のものである態様を適用している。
【００４４】
また、安定した自立状態（Ｔ）の実現並びに自立状態（Ｔ）における小物類の視認性の高さを両立させるために本実施形態では、側面壁体１及び一方の連結部を、略同一の横幅寸法を有したものとし、自立状態（Ｔ）において側面壁体１と前連結部２とが、平面視において略正三角形をなすように配するようにしている。
【００４５】
また、ペンＰ等の小物類の視認性をより高めた自立状態（Ｔ）を行わせるために本実施形態では、側面壁体１を、平面状で自立を可能にするだけの剛性を有した下側領域１１と、この下側領域１１に仮想境界線を介して連続する上側領域１２とを備えたものとし、仮想境界線部分を折り曲げて上側領域１２を下側領域１１の外面１１ａ側に折り返すことができるように構成している。
【００４６】
そして本実施形態では、下側領域１１の内面側に内ポケット１６を添設しているので、芯材１５により剛性を有した下側領域１１に沿って配されることで自ずと平面的なものになる結果、カード類の出し入れが容易になるとともに変形も防止でき、当該カード類を有効に保護し得るものとなっている。
【００４７】
また、より安定した拡張状態を維持した自立状態（Ｔ）を行わせるための構成として本実施形態では、後連結部３を、側面壁体１の下側領域１１に対応する下連結領域３１と、側面壁体１の上側領域１２の全部又は一部に対応する上連結領域３２とを備えたものとし、上連結領域３２を、側面壁体１の上側領域１２とともに下連結領域３１の外面側に折り返すことができるように構成している。
【００４８】
拡張姿勢（Ｅ）における小物類の出し入れのし易さと収縮姿勢（Ｃ）における小物類の安定した収納とを両立させるために本実施形態では、対をなす側面壁体１の少なくとも前
縁部１ａ間及び上縁部１ｅ間に、ファスナ５を設けている。
【００４９】
収縮姿勢（Ｃ）におけるコンパクトさと自立状態（Ｔ）における小物類の安定した支持とを両立するための構成として本実施形態では、対をなす側面壁体１の下縁部１ｄ間に、可撓性を有する底面壁体４を設けている。
【００５０】
以上、本発明の実施形態について説明したが、各部の具体的な構成は、上述した実施形態のみに限定されるものではなく、本発明の趣旨を逸脱しない範囲で種々変形が可能である。
【００５１】
まず、「前後の連結部」は、両側面壁体に収縮姿勢と拡張姿勢の両方を採らせ得るものであれば変形可能な壁状やヒンジ状、或いは蛇腹状といったようにどのようなものあっても良い。一例として、上記実施形態では他方の連結部である後連結部をヒンジ状としたが、前連結部同様の変形可能な壁状や蛇腹状とすることにより、拡張姿勢並びに自立状態へ平面視矩形状をなすように構成しても良い。
【００５２】
また上記実施形態において剛性を有する下側領域を平面状に成形した態様を開示したが勿論、平面視若干湾曲形状に成形し、その曲率は収縮姿勢において最低限の小物類を収納しても対をなす側面壁体が当該小物類を挟持し得る態様であれば、適宜の曲率を設定し得る。
【００５３】
さらに、上記実施形態では上下全域に亘って拡開する拡張姿勢をとり得る対をなす側面壁体として、上方向で拡開する領域が上縁部にまで及んでいる態様を開示したが勿論、拡張姿勢において上方向で拡開する領域が上縁部に及ばない拡張姿勢をとる態様としても良い。斯かる一例として例えば、対をなす側面壁体の上縁部に底面壁体と同様の構成を適用したものが挙げられる
加えて全体を構成する素材の種類や全体のサイズの具体的な態様は上記実施形態のものに限定されることはなく、既存のものを含め、種々の態様のものを適用することができる。
【００５４】
その他、各部の具体的構成についても上記実施形態に限られるものではなく、本発明の趣旨を逸脱しない範囲で種々変形が可能である。
【産業上の利用可能性】
【００５５】
本発明は携帯可能であり且つ机上或いはテーブル面等に自立した姿勢で使用することが可能な小物類の収納ケースとして利用することができる。
【符号の説明】
【００５６】
Ａ…小物類の収納ケース（筆記具ケース）
１…側面壁体
１ａ…前縁部
１ｂ…後縁部
１ｃ…内面（挟持面）
１ｄ…下縁部
１ｅ…上縁部
１１ａ…下側領域の外面（外面）
１７…仮想境界線部分の下縁（折り返し縁）
２…一方の連結部（前連結部）
２４…中折り線
３…他方の連結部（後連結部）
３１…下連結領域
３２…上連結領域
４…底面壁体
５…ファスナ
Ｃ…収縮姿勢
Ｅ…拡張姿勢
Ｓ…収納空間
Ｔ…自立状態
Ｐ…小物類（ペン）
【図１】
2018064988.tif 000003
【図２】
2018064988.tif 000004
【図３】
2018064988.tif 000005
【図４】
2018064988.tif 000006
【図５】
2018064988.tif 000007
【図６】
2018064988.tif 000008
【図７】
2018064988.tif 000009
【図８】
2018064988.tif 000010
【手続補正書】
【提出日】平成30年1月9日(2018.1.9)
【手続補正１】
【補正対象書類名】特許請求の範囲
【補正対象項目名】全文
【補正方法】変更
【補正の内容】
【特許請求の範囲】
【請求項１】
対向する内面間に収納するための収納空間を形成する対をなす平面状の側面壁体と、これら側面壁体が接近する収縮姿勢及び上下全域に亘って拡開する拡張姿勢を選択的に採り得るようこれら側面壁体の前縁部を連結する連結部とを具備してなり、前記拡張姿勢をなす前記側面壁体を、その前縁部及び後縁部が起立する態様で自立させることが可能であり、前記対をなす側面壁体の下縁部間に、底面壁体が設けられている収納ケース。
【請求項２】
前記連結部である一方の連結部と、前記側面壁体の後縁部を連結する他方の連結部とを備えたものであり、
前記一方の連結部が、前記側面壁体の前縁部同士を接離可能に連結し前記収縮姿勢において内側に折り込むことが出来る変形可能な壁状のものであるとともに、前記他方の連結部が、前記側面壁体の後縁部同士を回動可能に連結するヒンジ状のものである請求項１記載の収納ケース。
【請求項３】
前記自立状態において前記側面壁体と前記一方の連結部とが、平面視において略三角形をなすように配される請求項２記載の収納ケース。
【請求項４】
前記側面壁体が、平面状で前記自立を可能にするだけの剛性を有した下側領域と、この下側領域に仮想境界線を介して連続する上側領域とを備えたものであり、前記仮想境界線部分を折り曲げて前記上側領域を前記下側領域の外面側に折り返すことができるように構成されている請求項１、２又は３記載の収納ケース。
【請求項５】
前記連結部である一方の連結部と、前記側面壁体の後縁部を連結する他方の連結部とを備えたものであり、
前記他方の連結部が、前記側面壁体の下側領域に対応する下連結領域と、前記側面壁体の上側領域の全部又は一部に対応する上連結領域とを備えたものであり、前記上連結領域は、前記側面壁体の上側領域とともに前記下連結領域の外面側に折り返すことができるように構成されている請求項１、２、３又は４記載の収納ケース。
【請求項６】
前記対をなす側面壁体の少なくとも前記前縁部間及び上縁部間に、ファスナが設けられている請求項１、２、３、４又は５記載の収納ケース。
【手続補正２】
【補正対象書類名】明細書
【補正対象項目名】０００８
【補正方法】変更
【補正の内容】
【０００８】
本発明は、このような不具合に着目したものであり、出し入れも容易で且つ安定した自立状態を実現し、且つ収納時のコンパクトさをも実現させた収納ケースを提供することを目的としている。
【手続補正３】
【補正対象書類名】明細書
【補正対象項目名】００１０
【補正方法】変更
【補正の内容】
【００１０】
すなわち、請求項１に記載の発明は、対向する内面間に収納するための収納空間を形成する対をなす平面状の側面壁体と、これら側面壁体が接近する収縮姿勢及び上下全域に亘って拡開する拡張姿勢を選択的に採り得るようこれら側面壁体の前縁部を連結する連結部とを具備してなり、前記拡張姿勢をなす前記側面壁体を、その前縁部及び後縁部が起立する態様で自立させることが可能であり、前記対をなす側面壁体の下縁部間に、底面壁体が設けられている収納ケースである。
【手続補正４】
【補正対象書類名】明細書
【補正対象項目名】００１２
【補正方法】変更
【補正の内容】
【００１２】
このようなものであれば、対をなす平面状の側面壁体が収縮姿勢において隙間無く挟持することができるので、コンパクトな収縮姿勢を実現することができる。また、上記特許文献のものと同様、拡張姿勢を取るときには対をなす平面状の側面壁体が前後の連結部を介して上下全域に亘って拡開することにより、安定した自立状態を実現できる。すなわち本発明によれば、出し入れも容易で且つ安定した自立状態を実現し、且つ収納時のコンパクトさをも実現させた収納ケースを提供することができる。
【手続補正５】
【補正対象書類名】明細書
【補正対象項目名】００１３
【補正方法】変更
【補正の内容】
【００１３】
そして、請求項２に記載の発明は、前記連結部である一方の連結部と、前記側面壁体の後縁部を連結する他方の連結部とを備えたものであり、前記一方の連結部が、前記側面壁体の前縁部同士を接離可能に連結し前記収縮姿勢において内側に折り込むことが出来る変形可能な壁状のものであるとともに、前記他方の連結部が、前記側面壁体の後縁部同士を回動可能に連結するヒンジ状のものである請求項１記載の収納ケースである。
【手続補正６】
【補正対象書類名】明細書
【補正対象項目名】００１５
【補正方法】変更
【補正の内容】
【００１５】
また、請求項３に記載の発明は、前記自立状態において前記側面壁体と前記一方の連結部とが、平面視において略三角形をなすように配される請求項２記載の収納ケースである。
【手続補正７】
【補正対象書類名】明細書
【補正対象項目名】００１６
【補正方法】変更
【補正の内容】
【００１６】
また、請求項４に記載の発明は、前記側面壁体が、平面状で前記自立を可能にするだけの剛性を有した下側領域と、この下側領域に仮想境界線を介して連続する上側領域とを備えたものであり、前記仮想境界線部分を折り曲げて前記上側領域を前記下側領域の外面側に折り返すことができるように構成されている請求項１、２又は３記載の収納ケースである。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】変更
【補正の内容】
【００１９】
また、請求項５に記載の発明は、前記連結部である一方の連結部と、前記側面壁体の後縁部を連結する他方の連結部とを備えたものであり、前記他方の連結部が、前記側面壁体の下側領域に対応する下連結領域と、前記側面壁体の上側領域の全部又は一部に対応する上連結領域とを備えたものであり、前記上連結領域は、前記側面壁体の上側領域とともに前記下連結領域の外面側に折り返すことができるように構成されている請求項１、２、３又は４記載の収納ケースである。
【手続補正１０】
【補正対象書類名】明細書
【補正対象項目名】００２０
【補正方法】変更
【補正の内容】
【００２０】
請求項６に記載の発明は、前記対をなす側面壁体の少なくとも前記前縁部間及び上縁部間に、ファスナが設けられている請求項１、２、３、４又は５記載の収納ケースである。
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】変更
【補正の内容】
【００２２】
本発明によれば、出し入れも容易で且つ安定した自立状態を実現し、且つ収納時のコンパクトさをも実現させた収納ケースを提供することができる。